(57)【要約】      （修正有）【課題】血液や輸液を送液するためのチューブに設けたクランプの解除操作における操作者の負担を軽減するクランプ操作具を提供する。【解決手段】一対の操作部材２、３を交差させ、交差点を支点ピンで回動自在に接合し、支点ピンの先端側に位置する作用部２２、３２に、外側に膨らむ湾曲部２６、３６を設ける。作用部２２、３２よりも長い操作部２１、３１に指環２３、２４、３３を設け、指環２３、２４、３３にそれぞれ挿入した指によって、作用部２２、２３を開閉操作する。作用部２２、２３をクランプの内側に挿入することにより、クランプを押し開き、或いは操作部２１、３１を開くことにより作用部２２、２３を開き、クランプを押し開く。【選択図】図１
0003161787.tif 000002
【実用新案登録請求の範囲】
【請求項１】
ループ状に形成された弾性材よりなる帯体の一端を、他端部の内壁に形成された係合部に係止することにより閉ループを形成し、前記帯体の対向する内壁に形成された一対の突起部によってチューブを押しつぶす構成を有するクランプの閉ループを開放させる道具であって、
先端部に設けられた作用部と、基端部に設けられた操作部とを有する一対の操作部材と、
前記一対の操作部材を作用部と操作部との間で回動自在に接続する支点と、
前記操作部に設けられた指環とを備え、
前記各作用部は、対向面が接触した先端から基端へ向けて外際に湾曲した湾曲部を有し、
前記作用部は、前記クランプの形成する閉ループ内に挿入されることにより、湾曲部は、閉ループを外際へ開放する方向に押し広げることを特徴とするクランプ操作具。
【請求項２】
先端に直線状に形成された通直部を有する請求項１に記載のクランプ操作具
【考案の詳細な説明】
【技術分野】
【０００１】
この考案は、輸液を送るチューブの輸液の流通を操作するクランプの着脱を操作するクランプ操作具に関するものである。
【背景技術】
【０００２】
輸血や透析を行なう場合、血液や輸液を送液するために樹脂製のチューブが用いられ、チューブ内に液を流通させる構成が採られている。そして、チューブ内の輸液を止める手段として、チューブを適宜押しつぶして送液路を遮断するクランプが用いられている。
【０００３】
このクランプは、特許文献１に示されているように、輸血回路や透析回路のチューブに適宜取り付けられ、必要に応じて血液や輸液の流れを止めることができる構成となっている。図７及び図８に示されているように、このようなクランプ４は、全体が、弾性材よりなる帯体を湾曲形成されて構成されており、基部４２と、基部４２の一端に設けられた折り返し部４３を挟んで、基部４２に沿って配置された調整部４４と、基部４２の他端に設けられた係止部４１とを備えている。調整部４４の先端は、係止部４１の内側面に形成された爪に係合し、位置決めされる。係止部４１と折り返し部４３には、それぞれ孔４１１、４３１が形成され、この孔４１１、４３１にチューブ５が挿通する。また、調整部４４と基部４２の対向する面には、それぞれ突起４４１、４２１が形成され、突起部４４１と突起部４２１の間にはチューブ５が挿通する構成となっている。
【０００４】
ここで、基部４２と調整部４４とを指で挟み、調整部４４と基部４２との距離を縮めることにより、チューブ５は、突起部４４１と突起部４２１によって押しつぶされて、内部の輸液や血液が流通しない状態に維持させることができる。この際、調整部４４の先端は、係止部４１の爪に係合して、全体として閉ループを形成し、チューブ５を押しつぶした状態を維持できる構成となっている。 
クランプ４のチューブ５を押しつぶした状態を解除する場合には、図８に示されているように、親指ＦＯで、係止部４１を外側へ(矢印ＹＡ方向)へ押し出す。これにより、係止部４１が弾性変形し、調整部４４の先端から爪が外れ、閉ループが解除され、調整部４４は復元位置へ戻るべく、基部４２から離れる方向（矢印ＹＢ方向）に移動する。チューブ５に加えられる外圧が除かれ、チューブ５の復元力により輸液の流通が可能となる。
【先行技術文献】
【特許文献】
【０００５】
【特許文献１】特開平９−１２２２３０号
【考案の概要】
【考案が解決しようとする課題】
【０００６】
ところが、図８に示されているように、指ＦＯでクランプ４を解除する方法を採る場合には、解除操作に多大の力が必要となり、親指が腱鞘炎を起こすといったトラブルが生じやすい。特に、透析回路を操作する操作者は、患者に透析回路を接続する際と、透析回路から患者を離脱させる際にクランプ４の着脱操作をする必要があり、腱鞘炎を起こし易いといった問題があった。 
この考案は、クランプの解除操作における操作者の負担を軽減するためのクランプ操作具を提供することを目的とするものである。
【課題を解決するための手段】
【０００７】
以上のような問題を解決する本考案は、以下のような構成を有する。 
（１）  ループ状に形成された弾性材よりなる帯体の一端を、他端部の内壁に形成された係合部に係止することにより閉ループを形成し、前記帯体の対向する内壁に形成された一対の突起部によってチューブを押しつぶす構成を有するクランプの閉ループを開放させる道具であって、
先端部に設けられた作用部と、基端部に設けられた操作部とを有する一対の操作部材と、
前記一対の操作部材を作用部と操作部との間で回動自在に接続する支点と、
前記操作部に設けられた指環とを備え、
前記各作用部は、対向面が接触した先端から基端へ向けて外際に湾曲した湾曲部を有し、
前記作用部は、前記クランプの形成する閉ループ内に挿入されることにより、湾曲部は、閉ループを外際へ開放する方向に押し広げることを特徴とするクランプ操作具。
【０００８】
（２）  先端に直線状に形成された通直部を有する上記(１)に記載のクランプ操作具
【考案の効果】
【０００９】
請求項１記載の考案によれば、クランプの閉ループの内側に、作用部を閉じた状態で挿入し、湾曲部がクランプの閉ループを外側に押し開くことにより、クランプの閉ループを開放し、チューブの閉塞を解除する。また、クランプの閉ループが大きい場合には、湾曲部を閉ループ内に挿入して作用部を開くことにより、容易にクランプの閉ループを開くことができる。
【００１０】
請求項２記載の考案によれば、先端に通直部が設けられているため、クランプの閉ループ内に操作具の先端を挿入することが容易となる。また、各作用部の通直部形成部分の対向面が平面となるため、この平面部分でクランプを挟むことにより、クランプとの接触面積が拡大するので、チューブを押しつぶす方向に、クランプの閉ループを変形させる操作が容易となる。
【図面の簡単な説明】
【００１１】
【図１】本考案の第１の実施形態であるクランプ操作具を閉じた状態を示す全体平面図である。
【図２】本考案の第１の実施形態であるクランプ操作具を開いた状態を示す全体平面図である。
【図３】本考案の第２の実施形態であるクランプ操作具を閉じた状態を示す全体平面図である。
【図４】本考案の第２の実施形態であるクランプ操作具を開いた状態を示す全体平面図である。
【図５】チューブに取り付けられたクランプの送液遮断状態を解除する操作を示す斜視図である。
【図６】チューブに取り付けられたクランプに対して本考案のクランプ操作具を作用させている状態を示す斜視図である。
【図７】クランプによりチューブを送液遮断状態とする操作を示す斜視図である。
【図８】クランプによりチューブの送液遮断状態を解除する操作を示す斜視図である。
【考案を実施するための形態】
【００１２】
以下、本考案の好適実施形態について、添付図面に基づいて詳細に説明する。図１は、本考案の第１の実施形態であるクランプ操作具１を閉じた状態を示す全体平面図、図２は、クランプ操作具１を開いた状態を示す全体平面図である。クランプ操作具１は、ほぼ対称形状に形成された２つの操作部材２、３と、これら操作部材２、３を交差させた状態で、該交差部において操作部材２、３を相互に回動自在に支持する支点ピン４０とを備えている。
【００１３】
操作部材２は、支点ピン４０から基端側の操作部２１と、支点ピン４０から先端側の作用部２２とを備え、操作部２１の基端部には、支点ピン４０の軸線（操作部材２、３の回動軸）に対して直交する平面内において指環２３、２４が形成されている。この指環２３、２４は、他方の操作部材３に対して反対側に突出して形成され、それぞれ作業者の指が１本づつ入る大きさに形成されている。
【００１４】
一方、作用部２２の先端部には、他方の操作部材３に対向する作用面２７が形成されている。この作用面２７の形成部分には、操作部材３の作用面３７に対して反対側に膨らむように形成された湾曲部２６が設けられている。作用部２２において、作用面２７が形成されている部分は、横断面形状が扁平に形成され、前記作用面２７は支点ピン４０の軸線に対して平行となるように形成されている。
【００１５】
他方、操作部材３は、支点ピン４０から基端側の操作部３１と、支点ピン４０から先端側の作用部３２とを備え、操作部３１の基端部には、支点ピン４０の軸線（操作部材２、３の回動軸）に対して直交する平面内において指環３３が形成されている。この指環３３は、他方の操作部材２に対して反対側に突出して形成され、作業者の指が１本入る大きさに形成されている。作用部３２の先端部には、他方の操作部材２に対向する作用面３７が形成されている。この作用面３７の形成部分には、操作部材２の作用面３７に対して反対側に膨らむように形成された湾曲部３６が設けられている。作用部３２において、作用面３７が形成されている部分は、横断面形状が扁平に形成され、前記作用面３７は支点ピン４０の軸線に対して平行となるように形成されている。
【００１６】
操作部材２と操作部材３は、指環２３を除いて、同一形状に形成され、一方を反転させた状態として（線対称形状として）、支点ピン４０により接続される。図１に示されているように、操作部材２と操作部材３の操作部２１、３１を接近させると、支点ピン４０を中心して相対的に操作部材２と操作部材３が回転し、作用部２２と作用部３２の先端２５、３５が当接する。また、作用面２７と作用面３７は相互に対向する位置に設けられ、図２に示されているように、操作部２１と操作部３１を離すと、作用面２７と作用面３７が離れ（開き）、操作部２１と操作部３１を接近させると、作用面２７と作用面３７が接近する（閉じる）。支点ピン４０から指環２３、２４、３３までの距離は、作用部２２、３２の各先端２５、３５までの距離よりも十分長く構成されているので、てこの原理により、作用部２２、３２に加える力を十分大きなものとすることができる。
【００１７】
図３は、本考案の第２の実施形態のクランプ操作具１Ａを閉じた状態を示す全体平面図、図４は、同じくクランプ操作具１Ａを開いた状態を示す全体平面図である。クランプ操作具１Ａは、図１、図２に示されているクランプ操作具１と同様に、ほぼ対称形状に形成された２つの操作部材２Ａ、３Ａと、これら操作部材２Ａ、３Ａを交差させた状態で、該交差部において操作部材２Ａ、３Ａを相互に回動自在に支持する支点ピン４０Ａとを備えている。操作部材２Ａは、支点ピン４０Ａから基端側の操作部２１Ａと、支点ピン４０Ａから先端側の作用部２２Ａとを備え、操作部２１Ａの基端部には指環２３Ａ、２４Ａが形成されている。
【００１８】
一方、作用部２２Ａの先端部には、作用面２７Ａが形成され、作用面２７Ａの形成部分には、操作部材３Ａの作用面３７Ａに対して反対側に膨らむように形成された湾曲部２６Ａが設けられている。作用部２２Ａにおいて、作用面２７Ａが形成されている部分は、横断面形状が扁平に形成され、前記作用面２７Ａは支点ピン４０Ａの軸線に対して平行となるように形成されている。
【００１９】
他方、操作部材３Ａは、支点ピン４０Ａから基端側の操作部３１Ａと、支点ピン４０Ａから先端側の作用部３２Ａとを備え、操作部３１Ａの基端部には、指環３３Ａが形成されている。この指環３３Ａは、他方の操作部材２Ａに対して反対側に突出して形成され、作業者の指が１本入る大きさに形成されている。
【００２０】
作用部３２Ａの先端部には、他方の操作部材２Ａに対向する作用面３７Ａが形成されている。この作用面３７Ａの形成部分には、操作部材２Ａの作用面３７Ａに対して反対側に膨らむように形成された湾曲部３６Ａが設けられている。作用部３２Ａにおいて、作用面３７Ａが形成されている部分は、横断面形状が扁平に形成され、前記作用面３７Ａは支点ピン４０Ａの軸線に対して平行となるように形成されている。さらに、各作用部２２Ａ、３２Ａの先端２５Ａ、３５Ａと、湾曲部２６Ａ、３６Ａとの間には、通直部２５１Ａ、３５１Ａがそれぞれ設けられている。通直部２５１Ａ、３５１Ａは、図３に示されているように、湾曲部２６Ａ、３６Ａの膨らみよりも幅が狭い形状に形成され、さらに通直部２５１Ａ、３５１Ａにおける作用面２７Ａ、３７Ａは、閉じられた状態で互いに平行になり、面接触する構成となっている。この他、操作時の作用は図１、図２に示されている実施形態のクランプ操作具１と同様であるので、説明を省略する。
【００２１】
以下、図５及び図６に基づいて本考案のクランプ操作具１の作用について説明する。図５は、チューブ５に取り付けられたクランプ４の送液遮断状態を解除する操作を示す斜視図である。閉ループを形成し、チューブ５を押し潰して送液を遮断しているクランプ４に対して、基部４２と調整部４４との間にクランプ操作具１の先端２５、３５を閉じた状態で挿入する。そして、さらに挿入すると、湾曲部２６、３６の膨らみによって、係止部４１が外側に押し開かれ、係止部４１と調整部４４との係合が解除される。これにより、チューブ５の送液遮断状態が解除される。
【００２２】
図５に示されているような小型のクランプ４を解除操作する場合には、第２の実施形態であるクランプ操作具１Ａを用いることが好ましい。小型のクランプ４の場合には、閉ループが狭いため、通直部２５１Ａ、３５１Ａを有する第２実施形態のクランプ操作具１Ａが、より容易に挿入可能となる。
【００２３】
また、図６に示されているように、大型のクランプ４に対しては、調整部４４を押込んで、チューブ５を潰す操作にも多大の力が必要となる。このため、図６（Ａ）に示されているように、操作部材２、３を開き、作用面２７、３７で調整部４４と、基部４２とを挟み、指環に通した指を軽く握ることにより、操作部材２、３はやじる方向に閉じ、同時に作用面２７、３７が調整部４４を基部４２の方向へ押込むこととなる。直接、図７に示されているように、指で調整部４４を押込む場合に比較して、より小さな力でクランプ４を送液遮断状態にセットすることが可能となる。
【００２４】
さらに、クランプ４の送液遮断状態を解除する場合には、調整部４４と、基部４２の間に作用部２２、３２を挿入し、指環２３、２４及び指３３に挿入している指を離す方向に操作して、操作部材２、３を開く。これにより、作用部２２、３２が開き、基部４２から調整部４４が離れる方向へ押し出し、調整部４４の先端と係止部４１との係合が外れ、チューブ５の送液遮断状態が解除される。このような操作も、指環２３、２４、３３から支点ピン４０までの距離が、作用部２２、３２の長さに比較して十分長いため、操作部２１、３１を開く操作荷重は小さくて足りる。
【符号の説明】
【００２５】
１、１Ａ  クランプ操作具
２、３  操作部材
２１、３１  操作部
２２、３２  作用部
２３、２４  指環
３３  指環
４０  支点
２６、３６  湾曲部
２５１Ａ、３５１Ａ  通直部
４  クランプ
４２  基部
４４  調整部
【図１】
0003161787.tif 000003
【図２】
0003161787.tif 000004
【図３】
0003161787.tif 000005
【図４】
0003161787.tif 000006
【図５】
0003161787.tif 000007
【図６】
0003161787.tif 000008
【図７】
0003161787.tif 000009
【図８】
0003161787.tif 000010